(57)【特許請求の範囲】
【請求項１】
測定用光線を測定用液体に照射し、この液体の濃度および含有する組成物の量を測定する光学的分析機器の測定個所に使用する光学的分析用セルにおいて、
被測定液体が流通し、測定用光線を照射するほぼ中央に測定部を配置した測定領域部と、
前記被測定液体を前記測定領域部に流入させるように前記測定領域部の下部に配置した導入口と、
前記被測定液体を前記測定領域部から排液するように前記測定領域部の最上部に配置した排液口とを有し、
前記測定領域部の同一面上に前記導入口と前記排液口とが配置され、かつ前記導入口と前記排液口の間の前記測定領域部の内壁面が円弧状に形成され、
前記排液口の鉛直方向下部より前記導入口を変位して前記被測定液体を前記測定領域部の内壁面の鉛直方向に沿う接線方向から流入させるように配置したことを特徴とする光学的分析用セル。
【請求項２】
前記排液口の導入口側内壁を非導入口側内壁より上側に形成し、前記排液口の導入口側内壁と非導入口側内壁との間で段差を設けたことを特徴とする請求項1に記載の光学的分析用セル。
【発明の詳細な説明】
【０００１】
【発明の属する技術分野】
この発明は、色濁計、比色計等の光学的分析機器に使用する光学的分析用セルに関する。
【０００２】
【従来の技術】
光学的分析機器において、測定部に配置する分析用セルに、組成物を含有する測定対象の液体を通過させ、光線を照射して組成物の濃度等を測定するとき、この液体中に気体の泡沫が存在すると正確な測定値が得られないことが多かった。例えば、図４に示されるような中央の測定部に対してその真下から測定用の液体を導入し、上部から排出するような分析用セルの場合、分析用セルに流入する被測定液体に気泡があると、測定部に気泡が乱入し、被測定液体中の含有濃度を正確な濃度測定をすることができず、特に、測定液中のオゾン濃度を測定するときには正確な計測はできなかった。従って、分析用セルに流入させる被測定液体は一旦脱泡装置によって液体内の気泡を除去してから、分析用セル内へ流入させて組成物の濃度等が測定することが行われている。このように分析用セルに隣接して脱泡装置を必要としていた。
【０００３】
【発明が解決しようとする課題】
分析用セルに測定液体を流入させるとき気泡抜けを行われなければ正確な測定ができないため脱泡装置が必須の構成である。そのため、装置全体が大型化され、高価なものとなった。
この発明の課題は、測定対象液体の気泡を除去する脱泡装置を必要とせず、安価な分析用セルを提供することである。
また、他の課題は分析用セル内において気泡を除去しながら正確な組成物の濃度を測定することができる廉価な光学的分析用セルを提供することである。
【０００４】
【課題を解決するための手段】
この発明の前記課題は、測定用光線を測定用液体に照射し、この液体の濃度および含有する組成物の量を測定する光学的分析機器の測定個所に使用する光学的分析用セルにおいて、被測定液体が流通し、測定用光線を照射するほぼ中央に測定部を配置した測定領域部と、前記被測定液体を前記測定領域部に流入させるように前記測定領域部の下部に配置した導入口と、前記被測定液体を前記測定領域部から排液するように前記測定領域部の最上部に配置した排液口とを有し、前記測定領域部の同一面上に前記導入口と前記排液口とが配置され、かつ前記導入口と前記排液口の間の前記測定領域部の内壁面が円弧状に形成され、前記排液口の鉛直方向下部より前記導入口を変位して前記被測定液体を前記測定領域部の内壁面の鉛直方向に沿う接線方向から流入させるように配置した構成によって達成できる。
【０００５】
また、前記排液口の導入口側内壁を非導入口側内壁より上側に形成し、前記排液口の導入口側内壁と非導入口側内壁との間で段差を設けた構成によって達成できる。
【０００６】
【発明の実施の形態】
この発明の光学的分析用セルは、測定領域の導入口側の内壁面側の筐体の外側面に設けた流入口から導入管に被測定液体を流入させ、導入管を経由し、測定領域の内壁面の接線方向から導入口より被測定液体を導入させ、この測定領域の最上部から排液するようになっているからこの被測定液体中に含まれる気泡等は測定領域の内壁内面に沿って上昇し、排液口から排出することになり、中央部分の測定部に気泡等が進入するおそれがない。従って、被測定液体中に含有する組成物や気体の正確な濃度測定をすることができ、光学分析機器の他に外部に脱泡装置などの気泡抜け装置を必要としない。
この発明の光学的分析用セルは、被測定液体に光線を照射し、組成物の含有量、色濃度、濁度等を測定する際に、この液体を静置させることなく、連続的に液体が測定部内を通過し、この液体内に含まれる気泡等は測定領域の内壁に沿って排気され、中央部分の測定部に影響を与えることなく気泡を除去することができるから、隣接して被測定液体の脱泡装置を必要としないので短時間に濃度測定をすることができる。
【０００７】
この発明の光学的分析用セルを図面に示す一実施例に基づいて説明する。
図１はこの発明の光学的分析用セルの実施例の斜視図である。図２は図１の光学的分析用セルの概略正面図である。図３はこの発明の他の実施例の導入管と排液管とを接続した測定領域の概略正面図である。図４は従来の光学的分析用セルの正面図である。
【０００８】
図１において、１は分析用セルの筐体で、中央部分に被測定液体に光線を照射する石英ガラス等から形成された測定部２、この測定部２より大きな空洞を有する測定領域部３が形成されている。この測定領域部３の内壁面、すなわち円弧面（図１左側）３ａの接線方向の下部に導入管４の導入口４ａが配置されている。この導入管４の流入口５は筐体１の円弧側面に配置してある。測定領域部３の最上部には排液口６ａが設けられている。この排液口６ａには排出口７に連結する排出管６が連結されている。
【０００９】
この発明の光学的分析用セルの使用態様について説明する。流入口５に被測定液体を導入する管を接続する。この場合管の先端を流入口５に嵌合するか、螺合して接続する。被測定液体を流入すると、この被測定液体は導入管４を経て、導入口４ａから測定領域部３の円弧面３ａに沿って流れ、この液体中に気泡が含まれている場合は導入管４から測定領域部３に流入したとき、気泡は内壁面に沿って上昇し、排液口６ａに誘導され、排液口６ａから排出される。この被測定液体は上昇流によって渦流を生じながら測定部２内を循環して排液口６ａから排出管６を経由して排出口７から排出することになる。この測定部２の位置は中央部分であっても問題がない。分析装置内に設定するとき測定部２の位置を設定することができるから、上昇気流による気泡の流れの影響を受けない位置に測定部２を設定することができる。
【００１０】
このようにこの発明の光学的分析用セルによれば、泡抜き装置を経由することなく直接測定領域部３に液体を導入しながら、気泡等に影響されることなく、正確な濃度、例えば、オゾン濃度を測定をすることができる。この測定領域部３の形状について導入口４ａの設置個所によって特定の形状に設計することができる。導入管４から測定領域部３に接続する位置によって導入口４ａの長さを変化させる必要があります。流入口５から流入した被測定液体は導入管４の壁面に衝突して上昇気流になり、気泡等な測定領域部３の内壁の円弧面３ａに沿って上昇し、特に、導入口４ａから流入した被測定液は測定領域部３内で渦流を生じながら測定部２を通過して排液口６ａから排出されるように設計する。従って、この測定領域部３の内壁は前記導入口４ａからの流入接線方向に形成され、気泡等が上昇し易いように形状を定める必要がある。
【００１１】
図３に示されるものは他の実施例の測定領域部３の形状である。また、排液口６aの導入口側内壁６a１を非導入口側内壁６a２より上側に形成し、排液口６aの導入口側内壁６a１と非導入口側内壁６a２との間で段差Ｄ１を設けている。排液口６aの導入口側内壁６a１を非導入口側内壁６a２より上側に形成することで、測定領域部３の内壁面３aの導入口側内壁６a１近傍の部分３a１が急斜面になり、排液口６ａの段差Ｄ１により気泡が排液口６ａから排出され易くなっている。
【００１２】
この発明によれば、図面に示す実施例の他に種々の形状が選択できるが、効果的であるのは図３の実施例のような形状が好ましい。
【００１３】
【発明の効果】
以上のようにこの発明の光学的分析用セルによれば、測定対象の液体を分析用セルに導入する際に脱泡装置を必要とせず、直接液体を分析用セル内に供給することにより気泡等の影響を受けることなく、正確な組成物の濃度、色濃度や色濁度を測定することができる。
【図面の簡単な説明】
【図１】この発明の光学的分析用セルの実施例の斜視図である。
【図２】図１の光学的分析用セルの概略正面図である。
【図３】他の実施例の導入管と排液管とを接続した測定領域の概略正面図である。
【図４】従来の光学的分析用セルの概略正面図である。
【符号の説明】
１ …筐体
２ …測定部
３ …測定領域部
４ …導入管
５ …流入口
６ …排液管
７ …排出口
【図１】
0003676894.tif 000002
【図２】
0003676894.tif 000003
【図３】
0003676894.tif 000004
【図４】
0003676894.tif 000005